(57)【特許請求の範囲】
【請求項１】
上部筒壁に割り溝１３を縦設させた主筒２と、上記主筒の少なくとも割り溝縦設部分外周を被覆して回動可能に嵌合させるとともに、内面に螺条溝１５を穿設させた回動筒３と、上記主筒内に上下動可能に嵌合させるとともに、外面より突出させたピン１７の先端を割り溝１３を介して螺条溝１５に係合させ、且つ棒状化粧品１６の下端部を固定させる化粧品固定筒４とを備え、回動筒３に対する主筒２の回動により化粧品固定筒４が上下動する如く構成した棒状化粧品繰り出し容器に於いて、上記化粧品固定筒４下端部に形成した縮径部１９内周に外周上部を螺着させるとともに、下部を固定筒下方へ垂下させて螺動上昇可能に押し上げ筒５を設け、上記主筒下端部に回動可能に嵌合させた蓋板２２上面より立設した連結筒２３を上記押し上げ筒５内下部に挿入させてなる底蓋部材６を設け、上記連結筒２３外面と押し上げ筒５内面とを互いに係合する縦突条相互により連動させるとともに、上記底蓋部材６の回動により螺動上昇する押し上げ筒により棒状化粧品１６の押し上げを可能に構成したことを特徴とする棒状化粧品繰り出し容器。
【請求項２】
上部筒壁に割り溝１３Ａ  を縦設させた主筒２Ａと、上記主筒の少なくとも割り溝縦設部分外周を被覆して回動可能に嵌合させるとともに、内面に螺条溝１５Ａ  を穿設させた回動筒３Ａと、上記主筒内に上下動可能に嵌合させるとともに、外面より突出させたピン１７Ａ  の先端を割り溝１３Ａ  を介して螺条溝１５Ａ  に係合させ、且つ棒状化粧品１６の下端部を固定させる化粧品固定筒４Ａとを備え、回動筒３Ａに対する主筒２Ａの回動により化粧品固定筒４Ａが上下動する如く構成した棒状化粧品繰り出し容器に於いて、上記主筒２Ａ下端部を押し下げ可能且つ抜け出し不能に嵌合させた周壁３２下端縁より底壁３１を延設するとともに、主筒下面より下方へ突設した螺旋状板バネ２７下端を底壁３１上面に圧接させて主筒を上方付勢させ、且つ、底壁上面より立設した押し上げ筒部３３に切り溝３５を縦設してなる底蓋部材６Ａを設け、上記切り溝３５内に主筒下端より突設した突起２６を上下動可能に係合させて底蓋部材に対する主筒の同一回動及び押し込みが可能に構成し、底蓋部材に対する主筒及び回動筒の押し下げ時に相対的に上昇する押し上げ筒部３３により棒状化粧品１６の押し上げを可能に構成してなることを特徴とする棒状化粧品繰り出し容器。
【請求項３】
上記化粧品固定筒４Ａが、上下端面を開口し且つ上から下まで略同内径の円筒状筒壁下端縁より内方へフランジ３０を突設してなる化粧品固定筒である請求項２記載の棒状化粧品繰り出し容器。
【発明の詳細な説明】
【０００１】
【産業上の利用分野】
本発明は棒状化粧品繰り出し容器に関する。
【０００２】
【従来の技術】
棒状化粧品繰り出し容器として、下端部を把持部として構成するとともに、把持部上方の筒壁に複数の割り溝を縦設させた主筒と、該主筒の割り溝縦設部分外周に回動可能に嵌合させ、内面に複数の螺条溝を穿設させた回動筒と、主筒内に上下動可能に嵌合させるとともに、外周から割り溝を通って突出させたピン先端を螺条溝内に係合させた化粧品固定筒と、該固定筒内に下端部を固定させて主筒内に収納した棒状化粧品とを備えたものが一般に知られている。
【０００３】
これらの容器は、回動筒を固定して主筒を回動させることにより、化粧品固定筒が上下動し、固定筒の上昇の際に主筒上端開口より棒状化粧品が突出して使用可能となる如く構成している。また、一般に主筒の下端開口は底壁により閉塞させている。
【０００４】
【発明が解決しようとする課題】
従来のこの種容器に於いて、固定筒内に充填させた化粧品を使用できないという欠点がある。即ち、固定筒を上昇させて主筒上端より突出する棒状化粧品を直接唇等の被塗布体に接触させて塗布するが、この様な方法では固定筒より突出する部分の化粧品を使い切った際に、固定筒内の化粧品は塗布出来ない。
【０００５】
そこで、従来はその部分の化粧品を例えば細筆等を用いて使用することが行われているが、細筆等の使用による塗布は時間がかかる等の使用上の面倒があり、また、細筆等を紛失したり携帯し忘れたりという不都合を生じる場合がある。
【０００６】
そこで、本発明は、従来のこの種容器において、固定筒内に残存する化粧品をより容易に且つ効率よく使用することができ、その操作も極めて簡単に行える棒状化粧品繰り出し容器を提案するものである。
【０００７】
【課題を解決するための手段】
本請求項１発明の容器は上記課題を解決するため、上部筒壁に割り溝１３を縦設させた主筒２と、上記主筒の少なくとも割り溝縦設部分外周を被覆して回動可能に嵌合させるとともに、内面に螺条溝１５を穿設させた回動筒３と、上記主筒内に上下動可能に嵌合させるとともに、外面より突出させたピン１７の先端を割り溝１３を介して螺条溝１５に係合させ、且つ棒状化粧品１６の下端部を固定させる化粧品固定筒４とを備え、回動筒３に対する主筒２の回動により化粧品固定筒４が上下動する如く構成した棒状化粧品繰り出し容器に於いて、上記化粧品固定筒４下端部に形成した縮径部１９内周に外周上部を螺着させるとともに、下部を固定筒下方へ垂下させて螺動上昇可能に押し上げ筒５を設け、上記主筒下端部に回動可能に嵌合させた蓋板２２上面より立設した連結筒２３を上記押し上げ筒５内下部に挿入させてなる底蓋部材６を設け、上記連結筒２３外面と押し上げ筒５内面とを互いに係合する縦突条相互により連動させるとともに、上記底蓋部材６の回動により螺動上昇する押し上げ筒により棒状化粧品１６の押し上げを可能に構成したことを特徴とする棒状化粧品繰り出し容器として構成した。
【０００８】
また、請求項２発明の容器は、上部筒壁に割り溝１３Ａ  を縦設させた主筒２Ａと、上記主筒の少なくとも割り溝縦設部分外周を被覆して回動可能に嵌合させるとともに、内面に螺条溝１５Ａ  を穿設させた回動筒３Ａと、上記主筒内に上下動可能に嵌合させるとともに、外面より突出させたピン１７Ａ  の先端を割り溝１３Ａ  を介して螺条溝１５Ａ  に係合させ、且つ棒状化粧品１６の下端部を固定させる化粧品固定筒４Ａとを備え、回動筒３Ａに対する主筒２Ａの回動により化粧品固定筒４Ａが上下動する如く構成した棒状化粧品繰り出し容器に於いて、上記主筒２Ａ下端部を押し下げ可能且つ抜け出し不能に嵌合させた周壁３２下端縁より底壁３１を延設するとともに、主筒下面より下方へ突設した螺旋状板バネ２７下端を底壁３１上面に圧接させて主筒を上方付勢させ、且つ、底壁上面より立設した押し上げ筒部３３に切り溝３５を縦設してなる底蓋部材６Ａを設け、上記切り溝３５内に主筒下端より突設した突起２６を上下動可能に係合させて底蓋部材に対する主筒の同一回動及び押し込みが可能に構成し、底蓋部材に対する主筒及び回動筒の押し下げ時に相対的に上昇する押し上げ筒部３３により棒状化粧品１６の押し上げを可能に構成してなることを特徴とする棒状化粧品繰り出し容器として構成した。
【０００９】
また、請求項３発明の容器は、上記化粧品固定筒４Ａが、上下端面を開口し且つ上から下まで略同内径の円筒状筒壁下端縁より内方へフランジ３０を突設してなる化粧品固定筒である請求項２記載の棒状化粧品繰り出し容器として構成した。
【００１０】
【作用】
図２（ａ）  に示す如く、棒状化粧品１６を使用してその化粧品固定筒４上方へ突出する部分が無くなった際には、一旦固定筒４を主筒２内最下降位置まで下降させた後、底蓋部材６の蓋板２２を回動させれば押し上げ筒５が螺動上昇し、図２（ｂ）  に示す如く、押し上げ筒５が化粧品を押し上げて、その先端が固定筒上方より突出し、再び、化粧品の被塗布体への直接塗布が可能となる。
【００１１】
同様に図３及び図４に示す実施例では、底蓋部材６Ａに対して主筒２Ａ及び回動筒３Ａを押し下げれば、押し上げ筒部３３が固定筒４Ａに対して相対的に上昇し、化粧品１６を押し上げてその先端が固定筒４Ａ上方より突出し、再び、化粧品の被塗布体への直接塗布が可能となる。
【００１２】
【実施例】
以下、本発明の実施例を図面を参照して説明する。
図１及び図２は本発明の一実施例を示すもので、図中１は棒状化粧品繰り出し容器を示す。該容器１は、主筒２と、回動筒３と、化粧品固定筒４と、押し上げ筒５と、底蓋部材６とを主要部材として構成している。
【００１３】
主筒２は、上部筒壁に割り溝を縦設させて構成しており、本実施例では、上下端面を開口した円筒状をなし、最大外径をなす下端部の把持部２ａ上端より、二つの上向き段部７，８を介して順次縮径したキャップ係合部２ｂ及び回動筒嵌合部２ｃを上方へ順次延設している。また、その内面は、把持部２ａ上端部分に於いて内方へ縮径して、そこに下向き段部９を周設し、更に、上記回動筒嵌合部２ｃ内面下端部には上方へ拡径するテーパ部を設けてその上方内面を拡径させている。
【００１４】
また、キャップ係合部２ｂ外面上部には、カバーキャップ１０を係止するための係止突条１１を、上記回動筒嵌合部２ｃ外周下端部には回動筒３を回動可能に係止させるための係止凹溝１２を、それぞれ周設している。
また、回動筒嵌合部２ｃの相対峙する１８０°離間位置に、その上端から上記係止凹溝１２上方位置に至る縦長な割り溝１３をそれぞれ縦設している。
【００１５】
回動筒３は、上記主筒２外面の少なくとも割り溝１３縦設部分に回動可能且つ抜け出し不能に嵌合させるとともに、内面に螺条溝を穿設させて構成している。
【００１６】
本実施例に於いて回動筒３は上下端面を開口した円筒状をなし、下端を上記キャップ係合部２ｂ上面の上向き段部８上に当接載置させて回動筒嵌合部２ｃ外周に回動可能に嵌合させており、下端部所定位置を内方へ凹ませて形成した環状突部１４を上記係止凹溝１２内に回動可能に嵌合させて上方への抜け出しを不能に構成している。
【００１７】
また、筒壁内面下部の相対峙する１８０°離間位置にそれぞれ端を発する一対の螺条溝１５をそれぞれ穿設している。
【００１８】
化粧品固定筒４は、上記主筒内に上下動可能に嵌合させるとともに、外面より突出させたピンの先端を上記割り溝１３を介して上記螺条溝１５に係合させて構成している。この化粧品固定筒４には棒状化粧品の基端部を固定させ、その上端部を主筒２内上方へ起立させる如く構成している。
【００１９】
本実施例に於いて化粧品固定筒４は上下端面を開口した円筒状をなし、筒壁外面の上下方向中央部より一対のピン１７を突設し、各ピン１７の先端を割り溝１３を介して螺条溝１５に摺動可能に嵌合させている。また、筒壁下端部はテーパ部１８を介して縮径し、この縮径部１９内面に螺条を周設している。
【００２０】
そして、回動筒３に対して主筒２を所定方向へ回動させることにより、各ピン１７は回動するとともに螺条溝１５に案内されて上昇し、その結果、固定筒４が主筒２内を上昇して棒状化粧品１６が主筒上端開口から突出する如く構成している。
また、回動筒３に対して主筒２を逆方向へ回動させることにより、固定筒４が下降して棒状化粧品が主筒内へ収納される如く構成している。
【００２１】
押し上げ筒５は、上記化粧品固定筒４下端部に形成した縮径部１９内周に外周上部を螺着させるとともに、下部を固定筒下方へ垂下させて螺動上昇可能に設けている。
【００２２】
本実施例では、上記縮径部１９内面に外周上部を螺着させて下端を下方へ垂下させ、また、外周上端より固定筒内面に外面を摺動可能に当接する突条２０を突設し、更に、内面下部の１８０°離間位置に一対の係合リブ２１を縦設している。
底蓋部材６は、上記主筒下端部に回動可能に嵌合させた蓋板２２上面より立設した連結筒２３を上記押し上げ筒５内下部に挿入させて構成している。
【００２３】
本実施例では、主筒２内周下端部に凹凸係合手段を介して回動可能に且つ抜け出し不能に嵌合させた嵌合筒部２４を、主筒下端面を閉塞する円板状の蓋板２２上面周縁部より立設し、また、蓋板２２上面中央部からは上記押し上げ筒５内下部に円筒状の連結筒２３を立設している。更に、連結筒２３の外面１８０°離間位置には押し上げ筒５の各係合リブ２１とそれぞれ係合する一対の係合リブ２５を突設している。また、主筒２下部に露出する蓋板２２外周には滑り止め用にローレット加工を施している。
【００２４】
そして、主筒２を固定して蓋板２２を回動させると、各係合リブ２１，２５が互いに係合して押し上げ筒５を回動させて螺動上昇させ、それに伴って、棒状化粧品１６を押し上げる如く構成している。
【００２５】
図３及び図４は本請求項２発明の一実施例を示すもので、本実施例に於ける棒状化粧品繰り出し容器１は、主筒２Ａと、回動筒３Ａと、化粧品固定筒４Ａと、底蓋部材６Ａとを主要部材として構成している。
【００２６】
本実施例に於いて主筒２Ａは、上下端面を開口した円筒状をなし、大外径をなす下端部の挿入嵌合部２Ａｄ  上端より、上向き段部８Ａを介して縮径した回動筒嵌合部２Ａｃ  を上方へ延設している。また、上記実施例と同様に、回動筒嵌合部２Ａｃ  外周下端部には回動筒３Ａを回動可能に係止させるための係止凹溝１２Ａ  を周設し、また、回動筒嵌合部２Ａｃ  の相対峙する１８０°離間位置に、その上端から上記係止凹溝１２Ａ  上方位置に至る縦長な割り溝１３Ａ  をそれぞれ縦設している。
【００２７】
また、主筒２Ａの下端部内面の相対峙する１８０°離間位置に、矩形板状をなす一対の突起２６を突設し、更に、各突起２６下面よりそれぞれ下方へ螺旋状板バネ２７を一体に垂設している。
【００２８】
更に、挿入嵌合部２Ａｄ  外周に縦幅の広い凹部２８を周設し、その下部に係止突条２９を周設している。
【００２９】
回動筒３Ａは、上記実施例と同様なので同様数字の後にＡを連ねた符号を付して説明を省略する。
【００３０】
化粧品固定筒４Ａは、上下端面を開口し且つ上から下まで略同内径の円筒状筒壁を有し、筒壁外面の上下方向中央部より一対のピン１７Ａ  を突設し、各ピン１７Ａ  の先端を割り溝１３Ａ  を介して螺条溝１５Ａ  に摺動可能に嵌合させている。また、筒壁内面下端部には棒状化粧品１６を安定的に固定させるための小突出幅のフランジ３０を周設させている。
【００３１】
尚、このフランジを筒壁内周上下方向中央に形成した場合でも本発明の目的を達成することは可能であるが、下端縁部に設けて筒壁を上から下まで略同内径とすることで、化粧品の押し上げを無理なく、しかも固定筒内の化粧品略全量を効率よく使用できる。
【００３２】
そして、上記実施例と同様に回動筒３Ａに対して主筒２Ａを所定方向へ回動させることにより、棒状化粧品１６が主筒上端開口から突出し、また、回動筒３Ａに対して主筒２Ａを逆方向へ回動させることにより、棒状化粧品が主筒内へ収納される如く構成している。
【００３３】
底蓋部材６Ａは、底壁３１周縁部より周壁３２を立設するとともに、底壁３１上面中央部より上方へ押し上げ筒部３３を立設している。そして、主筒２Ａ下端部外周を周壁３２内周上部に押し込み可能に嵌合させ、この際、周壁３２内周上下方向中央部に周設した突条３４下面に主筒２Ａの上記突条２９上面を係止させて上方への抜け出しが出来ない様に構成するとともに、上記一対の螺旋状板バネ２７の下端を押し上げ筒部３３周囲の底壁３１上面に圧接させて主筒２Ａを上方付勢させる如く構成している。
【００３４】
また、押し上げ筒部３３の相対峙する１８０°離間位置にその上端から下端に至る一対の切り溝３５を縦設し、各切り溝３５内に主筒２Ａの上記突起２６先端を上下動可能に係合させている。この様にすることにより、回動筒３Ａを持って底蓋部材６Ａを回動させると主筒２Ａが一緒に回動し、また、底蓋部材６Ａを持って回動筒３Ａを押し下げると、回動筒３Ａ及び主筒２Ａが板バネ２７の弾発力に抗して押し下げられる如く構成している。また、押し上げ筒部３３の上端部を化粧品固定筒４Ａ直下に位置させて、底蓋部材６Ａに対する主筒２Ａ及び回動筒３Ａの押し下げにより相対的に上昇する押し上げ筒部３３が棒状化粧品１６を押し上げる如く構成している。更に、周壁３２外周上端部を上向き段部３６を介して縮径し、ここにカバーキャップ下端を着脱自在に嵌合させる如く構成している。
【００３５】
尚、上記各実施例に於ける各部材は主として合成樹脂を使用して形成し、その他必要に応じて金属，エラストマー等適宜選択使用して形成する。
【００３６】
【発明の効果】
以上説明した如く、本請求項１発明の容器は、化粧品固定筒４下端部に形成した縮径部１９内周に外周上部を螺着させるとともに、下部を固定筒下方へ垂下させて螺動上昇可能に設けた押し上げ筒５と、上記主筒下端部に回動可能に嵌合させた蓋板２２上面より立設した連結筒２３を上記押し上げ筒内下部に挿入させてなる底蓋部材６とを備え、上記連結筒外面と押し上げ筒内面とを互いに係合する縦突条相互により連動させるとともに、上記底蓋部材の回動により螺動上昇する押し上げ筒により棒状化粧品の押し上げを可能に構成したので、化粧品固定筒上方に突出する化粧品を使用し終えた後でも、固定筒内の化粧品を固定筒上方へ突出させることができ、固定筒内の化粧品を無駄なく使用でき、しかも、化粧品の押し上げ操作は底蓋部材を回動させるという極めて簡単な操作で行うことができるものである。
【００３７】
また、請求項２発明の容器では、主筒２Ａ下端部を押し下げ可能且つ抜け出し不能に嵌合させた周壁３２下端縁より底壁３１を延設するとともに、主筒下面より下方へ突設した螺旋状板バネ２７下端を底壁３１上面に圧接させて主筒を上方付勢させ、且つ、底壁上面より立設した押し上げ筒部３３に切り溝３５を縦設してなる底蓋部材６Ａを設け、上記切り溝３５内に主筒下端より突設した突起２６を上下動可能に係合させて底蓋部材に対する主筒の同一回動及び押し込みが可能に構成し、底蓋部材に対する主筒及び回動筒の押し下げ時に相対的に上昇する押し上げ筒部３３により棒状化粧品１６の押し上げを可能に構成したので、化粧品固定筒上方に突出する化粧品を使用し終えた後でも、同様に固定筒内の化粧品を固定筒上方へ突出させることができ、固定筒内の化粧品を無駄なく使用できる。しかも、化粧品の押し上げ操作は底蓋部材に対して回動筒及び主筒を押し下げるという極めて簡単な操作で行うことができるものである。
【００３８】
また、請求項３発明の容器では、押し上げ筒部の押し上げにより、固定筒内の化粧品を無理なく最後まで上方へ押し出すことができ、より無駄のない化粧品の使用を行えるものである。
【図面の簡単な説明】
【図１】本発明の一実施例を示す半断面図である。
【図２】同実施例の作用を説明する説明図である。
【図３】本発明の他の実施例を示す要部縦断面図である。
【図４】同実施例の要部分解斜視図である。
【符号の説明】
２，２Ａ…主筒、３，３Ａ…回動筒，４，４Ａ…化粧品固定筒，５…押し上げ筒，
６，６Ａ…底蓋部材，１３，１３Ａ  …割り溝，１５，１５Ａ  …螺条溝，
１６…棒状化粧品，１７，１７Ａ  …ピン，１９…縮径部，２２…蓋板，２３…連結筒，
２６…突起，２７…螺旋状板バネ，３１…底壁，３２…周壁，３３…押し上げ筒部，
３５…切り溝
【図１】
0003565448.tif 000002
【図２】
0003565448.tif 000003
【図３】
0003565448.tif 000004
【図４】
0003565448.tif 000005